(57)【要約】【課題】  鮮明な印刷模様を有する不織布及びそれを用いた使い捨ておむつを提供する。【解決手段】  不織布から成る基材テープ２１の表面の印刷模様形成範囲にべた印刷から成る下地印刷層２２を設け、下地印刷層２２の上に模様印刷層２３を設けた。また、使い捨ておむつのフロントターゲットテープ１４を、上記印刷模様を有する不織布にて構成した。【選択図】        図３
2005103933.tif 000002
【特許請求の範囲】
【請求項１】
不織布から成る基材シートの表面の印刷模様形成範囲にべた印刷から成る下地印刷層を設け、下地印刷層の上に模様印刷層を設けたことを特徴とする印刷模様を有する不織布。
【請求項２】
請求項１記載の印刷模様を有する不織布を具備していることを特徴とする使い捨ておむつ。
【請求項３】
前ウェスト部から股間部を経て後ウェスト部に至る縦長形状でかつ前ウェスト部と後ウェスト部にそれぞれ両側外方に延出する前サイドフラップと後サイドフラップを有し、かつ後サイドフラップに止着テープを、前ウェスト部にフロントターゲットテープをそれぞれ設けた使い捨ておむつにおいて、フロントターゲットテープを、請求項２に記載の印刷模様を有する不織布にて構成したことを特徴とする使い捨ておむつ。
【発明の詳細な説明】
【技術分野】
【０００１】
本発明は、印刷模様を有する不織布とそれを用いた紙おむつ例えば、フロントターゲットテープを設けた使い捨ておむつ、あるいは前身頃又は後身頃に印刷模様を有する不織布を設けた使い捨ておむつに関するものである。
【背景技術】
【０００２】
フラット型の使い捨ておむつは、液不透過性シートからなる外面シートと液透過性シートからなる内面シートとの間に吸収体を介在させた構成で、前ウェスト部から股間部を経て後ウェスト部に至る縦長形状に形成され、かつ前ウェスト部と後ウェスト部にそれぞれ両側外方に延出する前サイドフラップと後サイドフラップが設けられている。後サイドフラップには止着テープが設けられ、前ウェスト部にフロントターゲットテープが設けられており、着用者の背側に後ウェスト部を、腹側に前ウェスト部を当てがって、後サイドフラップの止着テープを前ウェスト部のフロントターゲットテープに止着することで、この使い捨ておむつを装着するように構成されている。
【０００３】
このフラット型の使い捨ておむつにおける止着テープとフロントターゲットテープには一般に面状ファスナーが適用され、止着テープには多数の微小フックが分散形成されたフックテープが固着され、フロントターゲットテープは微小フックが係合する多数の微小ループが分散形成されたループテープとして、不織布からなるテープが用いられている。また、そのフロントターゲットテープには、短時間で装着できるように、着用者の胴回りの大きさに応じて止着テープの止着位置が一目で分かるように表示するデザイン化した目盛りや、幼児などに好印象を与えるための各種の図柄などの印刷模様が設けられている。
【０００４】
なお、アート紙、コート紙、上質紙、ＯＣＲ紙、プリンタ用紙等の紙、ポリプロピレンフィルムや発泡ＰＥＴ等をベースとした合成紙、ＰＥＴ、ポリ塩化ビニル、ポリプロピレン等の樹脂フィルムなど、特に表面の平滑性が高くない上質紙、ＯＣＲ紙、プリンタ用紙等の被印刷基材における粗面の表面にパール調印刷をオフセット印刷や活版印刷にて施す際に、パール顔料の配向方向が一定しないことでパール光沢が不十分になるのを防止するために、被印刷基材の表面上に下地印刷塗膜を形成し、その上にパール印刷を施し、又はパール印刷を重ねて二層以上施すことが知られている（例えば、特許文献１参照。）。
【特許文献１】特開２０００−２６０６１７号公報
【発明の開示】
【発明が解決しようとする課題】
【０００５】
ところが、従来の使い捨ておむつのフロントターゲットテープにおいては、表面の凹凸が非常に大きい不織布から成る基材テープの表面に直接印刷模様を印刷しているため、図５に示すように、基材テープ３１の表面の大きな凸部や凹部によってインク層３２の転移が均一に行われず、その結果印刷模様が不鮮明な仕上がりになるという問題があった。
【０００６】
なお、上記特許文献１に開示された技術手段は、一般論として粗面に対する印刷時に下地印刷を行うことで良質の印刷を形成するという技術が開示されていることになるが、パール顔料の配向方向が一定しないことが問題になるような小さな凹凸の粗面に対してパール調印刷するについて十分なパール光沢を得ることが目的及び効果であり、上記フロントターゲットテープの不織布表面のように凹凸が大きく、インク層の転移が均一に行われないような表面に対して印刷した場合の、印刷模様の不鮮明さの解消手段を直接開示するものではない。
【０００７】
本発明は、上記従来の問題点に鑑み、鮮明な印刷模様を有する不織布及びそれを用いた使い捨ておむつを提供することを目的とする。
【課題を解決するための手段】
【０００８】
本発明の印刷模様を有する不織布は、不織布から成る基材シートの表面の印刷模様形成範囲にべた印刷から成る下地印刷層を設け、下地印刷層の上に模様印刷層を設けたものである。すなわち、本発明は、表面に大きな凹凸を有する不織布においても、通常のオフセット印刷や活版印刷によるべた印刷によって下地印刷層を形成すると、不織布表面の凹凸が下地印刷層にて平滑化され、その上に模様印刷層を形成することで、鮮明な模様印刷が得られることを見出したことに基づくものである。これにより、模様印刷の前段階にべた印刷を行うだけで、鮮明な印刷模様を有する不織布を得ることができ、また低目付けの不織布にも印刷が可能になるなど、印刷基材の選定の自由度が増すという効果が得られる。
【０００９】
また、上記印刷模様を有する不織布を使い捨ておむつに好適に適用することができる。
【００１０】
また、本発明の使い捨ておむつは、前ウェスト部から股間部を経て後ウェスト部に至る縦長形状でかつ前ウェスト部と後ウェスト部にそれぞれ両側外方に延出する前サイドフラップと後サイドフラップを有し、かつ後サイドフラップに止着テープを、前ウェスト部にフロントターゲットテープをそれぞれ設けた使い捨ておむつにおいて、フロントターゲットテープを、上記印刷模様を有する不織布にて構成したものであり、鮮明な印刷模様を有するフロントターゲットテープを有するので、使い勝手及び見栄えの良い使い捨ておむつを得ることができる。
【発明の効果】
【００１１】
本発明の印刷模様を有する不織布によれば、印刷模様形成範囲にべた印刷から成る下地印刷層を設け、下地印刷層の上に模様印刷層を設けたので、模様印刷の前段階にべた印刷を行うだけで、不織布表面の凹凸が下地印刷層にて平滑化され、鮮明な印刷模様を有する不織布を提供することができる。
【００１２】
また、本発明の使い捨ておむつによれば、フロントターゲットテープを上記印刷模様を有する不織布にて構成したので、鮮明な印刷模様を有するフロントターゲットテープを有し、使い勝手及び見栄えの良い使い捨ておむつを提供することができる。
【発明を実施するための最良の形態】
【００１３】
以下、本発明の印刷模様を有する不織布をフロントターゲットテープに適用した使い捨ておむつの実施形態について、図１〜図４を参照して説明する。なお、以下に示す実施形態は本発明を具体化した一例であって、本発明の技術的範囲を限定するものではない。
【００１４】
図１、図２は、フラット型の使い捨ておむつ１の全体構成を示す。この使い捨ておむつ１は、液不透過性の外面シート２と液透過性の内面シート３との間に吸収体４（図３参照）を介在させた構成で、前ウェスト部５から股間部６を経て後ウェスト部７に至る縦長形状に形成されている。図３に示すように、外面シート２は液不透過性のポリエチレンシートなどから成る防水シート１６の外面にクロスのような感触を与えるための薄い不織布などからなるバックシート１７を貼り合わせて構成され、内面シート３は不織布にて構成されている。
【００１５】
前ウェスト部５と後ウェスト部７の間では、吸収体４の両側部に、糸ゴム等の弾性伸縮部材を伸長状態にして配置してシート２、３に接合することで立体ギャザー部８及びギャザリングされた外縁部９が形成され、前ウェスト部５と後ウェスト部７では、発泡ポリウレタンなどから成るテープ状の弾性伸縮部材をギャザリングしたシート２、３に接合することでウェストにフィットするように構成されている。前ウェスト部５及び後ウェスト部７には、それぞれ両側外方に延出する前サイドフラップ１１と後サイドフラップ１２が設けられている。
【００１６】
後サイドフラップ１２には止着テープ１３が設けられ、前ウェスト部５に止着テープ１３の止着面となるフロントターゲットテープ１４が設けられている。フロントターゲットテープ１４には、着用者の胴回りの大きさに応じて止着テープの止着位置が一目で分かるように表示するデザイン化した目印や、幼児などに好印象を与えるための各種の図柄などの印刷模様１５が形成されている。
【００１７】
この使い捨ておむつ１の装着時には、着用者の背側に後ウェスト部７、腹側に前ウェスト部５を当てがい、印刷模様１５の目印などを目安に着用者の体格、体型に応じて止着テープ１３の止着位置を決め、図２に示すように、フロントターゲットテープ１４に止着する。この止着テープ１３の止着によりレッグ開口部が形成され、着用者の股部分を外縁部９で包み込み、その内側に立体ギャザー部８が位置して尿漏れが防止される。
【００１８】
このような全体構成の使い捨ておむつ１において、止着テープ１３は、図３に示すように、不織布から成る連結テープ１８のフロントターゲットテープ１４に対向する面の先端部に、多数の微小フック１９ａが分散形成されたフックテープ１９を固着して構成されている。
【００１９】
また、フロントターゲットテープ１４は、図３に示すように、不織布から成る基材テープ２１の表面の印刷模様１５の形成領域に、べた印刷によって下地印刷層２２を印刷形成し、その上に印刷模様１５を構成する模様印刷層２３を印刷形成して構成されている。
【００２０】
基材テープ２１は、芯部がＰＥＴでその外周にＰＥ層を形成した１．５〜８デニールのＰＥ／ＰＥＴ繊維を用いて３０〜６０ｇ／ｍ2 のエアスルーを有するように構成された不織布のテープにて構成され、さらに印刷前にコロナ放電処理が施されている。この基材テープ２１の裏面側が外面シート２のバックシート１７に熱溶着にて固着されている。
【００２１】
下地印刷層２２は、基材テープ２１と同色又は同系色の半透明又は透明の酸化重合型若しくは紫外線硬化型のオフセット印刷インキ又は活版印刷インキを用いて構成されている。
【００２２】
また、下地印刷層２２をパール顔料を含むインキにて構成するのが好適である。そのパール顔料としては、雲母、タルク、カオリン、オキシ塩化ビスマス、ガラスフレーク、ＳｉＯ2 フレーク、合成セラミックのフレークなどの微細なフレークを、ＴｉＯ2 、Ｆｅ2 Ｏ2 、ＳｎＯ2 、Ｃｒ2 Ｏ3 、ＺｎＯ2 などの金属酸化物の一種又は複数種の混合物にて被覆して構成されたものが安価で好適である。
【００２３】
模様印刷層２３は、無機顔料や有機顔料を含有した非水溶性インクにて印刷形成されている。無機顔料としては、二酸化チタン、アルミナホワイト、硫化亜鉛、紺青、沈降性硫酸バリウム、沈降性炭酸カルシウム、含水ケイ酸塩、マンガンバイオレット、アルミニウム粉、カーボンブラックなどが好適に用いられ、有機顔料としては、ナフトールグリーンＢ、ナフトールエローＳ、リソールレッド、ファストエロー、クロモフタールエロー、クロモフタールレッド、ピーコックブルーレーキ、アルカリブルーレーキ、ローダミンレーキ、フタロシアンニンブルー、アントラビリジンエロー、キナカリドンレッド、ジオキサジンバイオレット、イソインドリノンエロー、昼光蛍光顔料などが好適に用いられる。印刷は、イエロー、マゼンタ、シアン、その他の特定色の順に順次行われる。
【００２４】
以上の構成によれば、フラット型の使い捨ておむつ１のフロントターゲットテープ１４において、安価な不織布から成る基材テープ２１を用いていることで、図４（ａ）に示すように、その表面に大きな凹凸を有しているが、その表面に通常のオフセット印刷や活版印刷によるべた印刷によって下地印刷層２２を形成することによって、図４（ｂ）に示すように、基材テープ２１の表面の凹凸がこの下地印刷層２２にて平滑化される。また、不織布から成る安価な基材テープ２１を用いながら、その表面にコロナ放電を施していることで、繊維表面に微細な凹凸が付与され、下地印刷層２２のインクが基材テープ２１の繊維に確実に定着される。そして、この下地印刷層２２の平滑な表面上に、図４（ｃ）に示すように、模様印刷層２３を形成することによって、鮮明な印刷模様１５を描き出すことができる。
【００２５】
また、下地印刷層２２は、酸化重合型若しくは紫外線硬化型のオフセット印刷インキ又は活版印刷インキにて構成できるので、鮮明な印刷模様１５を生産性良く形成することができる。
【００２６】
また、下地印刷層２２を、基材テープ２１と同色又は同系色の半透明又は透明のインキにて構成しているので、下地印刷層２２が基材テープ２１に対して目立たず、違和感を与えないので好ましい。また、下地印刷層２２をパール顔料を含むインキにて構成した場合には、その下地印刷層２２の上に印刷した印刷模様１５が浮かび上がることで模様の鮮明さが向上する。
【００２７】
かくして、本実施形態によれば、フロントターゲットテープ１４に印刷模様１５を設ける際に、模様印刷層２３を形成する前段階に下地印刷層２２をべた印刷するだけで鮮明な印刷模様１５を形成でき、フロントターゲットテープ１４の印刷模様１５が鮮明に形成できるため、使い勝手及び見栄えの良い使い捨ておむつ１を提供できる。
【００２８】
以上の実施形態では、本発明の印刷模様を有する不織布を、使い捨ておむつ１のフロントターゲットテープ１４に適用した例についてのみ説明したが、使い捨ておむつ１の他の部位や、各種使い捨ておむつの各部位、例えば両サイドフラップ等を熱等で溶融シールしたパンツ式のおむつの前身頃、又は後身頃の外面側に印刷模様を施した不織布に適用しても良いことは言うまでもない。また、本発明の印刷模様を有する不織布をその他の各種不織布から成る製品や部品に適用しても、鮮明な印刷模様が得られることで見栄えを良くすることができる。
【図面の簡単な説明】
【００２９】
【図１】本発明の使い捨ておむつの実施形態の構成を示す斜視図である。
【図２】同実施形態の使い捨ておむつの正面図である。
【図３】図２のＡ−Ａ矢視拡大断面図である。
【図４】同実施形態における基材シートと下地印刷層形成状態と模様印刷形成状態を示す模式断面図である。
【図５】従来例の使い捨ておむつにおけるフロントターゲットテープに模様印刷層を形成した状態の模式断面図である。
【符号の説明】
【００３０】
１  使い捨ておむつ
５  前ウェスト部
６  股間部
７  後ウェスト部
１１  前サイドフラップ
１２  後サイドフラップ
１３  止着テープ
１４  フロントターゲットテープ
１５  印刷模様
２１  基材テープ（不織布）
２２  下地印刷層
２３  模様印刷層
【図１】
2005103933.tif 000003
【図２】
2005103933.tif 000004
【図３】
2005103933.tif 000005
【図４】
2005103933.tif 000006
【図５】
2005103933.tif 000007